(57)【要約】【課題】  襟から空調被服内の空気を確実に排出するのに好適な空調被服を提供すること。【解決手段】  本発明の空調被服は、被服の一部に取り付けたファンにより外気を被服内に取り込み、前記被服の内側に気流を作り出して被服内を冷却する空調被服であって、襟と身頃との縫合線に並行するように、所定の幅と剛性を有する横帯体を前記身頃に配設し、前記横帯体の少なくとも一部は前記身頃から剥離する剥離区間として排気口を形成する。【選択図】図１
2020094302.tif 000002
【特許請求の範囲】
【請求項１】
被服の一部に取り付けたファンにより外気を被服内に取り込み、前記被服の内側に気流を作り出して被服内を冷却する空調被服であって、襟と身頃との縫合線に並行するように、所定の幅と剛性を有する横帯体を前記身頃に配設し、前記横帯体の少なくとも一部は前記身頃から剥離する剥離区間として排気口を形成することを特徴とする空調被服。
【請求項２】
請求項１記載の空調被服であって、前記剥離区間には、前記横帯体と前記身頃との所定距離を保つ一または複数のスペーサを取り付けたことを特徴とする空調被服。
【請求項３】
請求項１または２記載の空調被服であって、前記襟の両端部において、形状を維持可能な形状維持素材で形成された縦帯体を前記横帯体に交差する方向に固定したことを特徴とする空調被服。
【請求項４】
請求項３記載の空調被服であって、前記縦帯体は、前記横帯体の両端において、該横帯体を跨るように固定され、全体としてH型の形状記憶帯構造を構成することを特徴とする空調被服。
【請求項５】
請求項１乃至４のいずれか記載の空調被服であって、前記排気口は前記横帯体の略全体に亘って形成されることを特徴とする空調被服。
【請求項６】
請求項1乃至５のいずれか記載の空調被服であって、さらに、前記被服の背中内面には両端を摘まんで寄せるブリッジ片を取り付け、前記背中内面と前記ブリッジ片の間に、前記ファンからの空気を前記襟に向けて流通させる通気トンネルを形成したことを特徴とする空調被服。
【発明の詳細な説明】
【技術分野】
【０００１】
本発明は、襟または襟近傍に取り付けた横帯体とスペーサにより、空調被服内にファンによって取り入れた空気を襟から排出するに好適な空調被服に関する。
【背景技術】
【０００２】
野外における高温、高湿度の作業環境を改善するため、送風装置により服内に外気を取り入れて、空調被服と身体の間に空気を流通させ、被服内温度を下げるなど作業環境を改善する空調被服が近年普及してきている。
【０００３】
特に、内側に取り込んだ空気を襟から排出する際に、襟からの排気を利用して身体の冷却効果の高い首筋に風を送り、また、さらにヘルメットに風を送る構造が注目されており、以下の文献にそれらを達成するための構造が開示されている。
【先行技術文献】
【特許文献】
【０００４】
【特許文献１】特開2006-132040号
【特許文献２】特開2017-150128号
【特許文献２】特許6406683号
【０００５】
上記特許文献１及び２には、それぞれ、空調被服内に取り込んだ空気を排出する際に、空調被服の背中や襟に調整帯体を掛け渡して背中の服地や襟を摘まむことで、この部分に空気の流通路や排気口を形成することが開示されている。また、特許文献３には、形状保持を行う線材を織り込んだ帯状の繊維を襟の略全周に亘って縫合し、襟を所定形状に維持することで排気を確実に行うことができる。
【発明の概要】
【発明が解決しようとする課題】
【０００６】
しかしながら、特許文献１及び２の構造によれば、被服の襟を構成する通常の布地では排気口を形成したとしても、被服の装着者が動くことで、襟が装着者の首に密着すると、排気口が塞がれてしまい襟から十分な空気が排出されない状況が生じる。
【０００７】
また、特許文献３の構造によっても、装着者の肩が空調被服に密着してしまうと、例え襟の形状を整えて首側面との間に排気口を形成したとしても、気流が周り込むことができず、十分な冷却効果を発揮できないという状況が生じる。
【０００８】
そこで、本発明の目的は、装着者がどのような体勢をとっても、襟から十分な排気を行うことできる空調被服を提供することにある。
【課題を解決するための手段】
【０００９】
上記目的を達成するため、本発明の空調被服は、被服の一部に取り付けたファンにより外気を被服内に取り込み、前記被服の内側に気流を作り出して被服内を冷却する空調被服であって、襟と身頃との縫合線に並行するように、所定の幅と剛性を有する横帯体を前記身頃に配設し、前記横帯体の少なくとも一部は前記身頃から剥離する剥離区間として排気口を形成することを特徴とする。
【発明の効果】
【００１０】
本発明の空調被服によれば、身頃側に取り付けられた横帯体によって、空調被服内部の襟近傍の肩部に空間を形成することができるので、この空間を通して横帯体の剥離区間に形成される排気口から円滑に空調被服内部の空気の排気を行うことができる。
【図面の簡単な説明】
【００１１】
【図１】本発明の実施形態の空調被服の説明図。
【図２】同実施形態の空調被服の作用を示す説明図。
【図３】本発明の他の実施形態の説明図。
【図４】本発明の他の実施形態の説明図。
【発明を実施するための形態】
【００１２】
本発明の第一実施形態を図１及び図２を用いて説明する。図１(ａ)は本発明の空調被服の襟を開いた状態の構造説明図であり、図１(ｂ)は同空調服の襟近傍の平面図であり、図１(ｃ)は同空調服の襟近傍の正面図である。
【００１３】
図１(ａ)に示すように、本発明の空調被服１は、襟２と身頃３との縫合線４に沿って、該縫合線４の下方に、横帯体５が取り付けられている。同横帯体５は幅3mmから15mm程度の幅を有し、例えば、ポリオレフィン、ポリアミド、ポリエステル、ポリオレフィンサルファイド、ポリオレフィンオキサイト等などの、幅方向に所定の剛性を有する形状維持素材によって形成されており、折り曲げた形状が維持できる性質を有する。
【００１４】
襟２は、立ち襟として使用することが可能であり、その差異の襟２の高さは９cm以上の高さとすることが望ましい。かかる構造とすることで、後述する図２(ｂ)のように、ヘルメット12に向けて、確実に気流を送ることができる。
【００１５】
この横帯体５は、襟２の略全周に亘って配置されており、縫合区間Ｓ１と剥離区間Ｓ２とによって構成され、両区間を合わせて横帯体５の配設区間となる。横帯体５の両端は、縫合区間S１、S１となって、全面或いは上縁のみが空調被服１（身頃３）の布地に縫合され、固定されている（図１(ａ)乃至(ｃ)において、ハッチングによって示す）。一方で、縫合区間Ｓ１、Ｓ１間は、剥離区間S２となって、空調被服１の布地に固定されておらず剥離可能となっている。
【００１６】
この剥離区間S２には、所定の厚みを有する２つのクリップ６、６を取り付けて２点で両者を固定している。このクリップ６は背面側を襟２の内面に固定し、正面側で横帯体５を引っ掛ける構造としており、クリップ６を襟２と横帯体５との間に介在させることで、少なくともクリップ６の両側には横帯体５と襟２及び身頃３との間に間隔を確保するスペーサとして機能する。そして、この部分に形成される排気口７が潰れない醸造となる。
【００１７】
なお、襟２と装着者の首との間にも風抜けスペースを確保するため、襟周りをユーザーの首周りよりも十分に広く取る構造としてもよい。通常の空調被服の襟周り（Lサイズで50cm以上）よりも6cm以上（すなわちLサイズで56cm以上）大きくすることで、排気口7に加えて、横帯体５と首との間にも気流を通すことができ、襟２から排気する風量をより上げる効果を期待できる。
【００１８】
襟２の端部２a近傍、すなわちファスナー11の内側には、縦帯体８(８Ａ、８Ｂ)が前記横帯体５に交差する方向に縫合されている。この縦帯体８は、横帯体５と同様の、形状維持素材により形成されているため、襟２を畳んだ状態にも、襟２を立てた状態にも保持することができる。この縦帯体８は、襟２と身頃３との縫合線４よりも下方に、延長しており、横帯体５と縦帯体８Ａ,８ＢとによってＨ型の形状維持構造が形成される。
【００１９】
空調被服１の背中内面１aには、その中央に、ブリッジ片たるメッシュ材９を取り付けている。このメッシュ材９の両端は両側を摘まむ状態で背中内面１aに縫い付けられることで、この部分に後述するファンから空調被服１内に流入した空気を襟２に向かって通す通気トンネルが形成される。
【００２０】
次に、本実施形態の空調被服１の作用効果を、図２を用いて説明する。図２(ａ)は、襟を畳んだ状態での空気の動きを示す説明図であり、同図(ｂ)は襟を立てた状態での空気の動きを示す説明図である。
【００２１】
図２(ａ)に示すように、装着者が空調被服１を装着すると、襟２と身頃３との縫合線４より下方に取り付けた横帯体５により、襟２が持ち上げられ装着者の両肩と身頃３との間に空間Xを形成する。
【００２２】
この状態で、空調被服１の背中下部に取り付けられた２つのファン12を作動させることにより、外気を空気に取り込む。空調被服１の内側に取り込まれた空気は気流ｗとなり、装着者の肩に形成された空間Xに至り、横帯体２の剥離区間Ｓ２に形成された排気口７を通して、襟２から外へ抜ける。気流ｗは、空調被服１内に籠った熱を襟２から排出するとともに、装着者の表面の熱を奪って、体温を下げる。
【００２３】
また、装着者が運動し、首と襟２とが圧迫されても、所定の幅と剛性を持った横帯体５は、クリップ６の、スペーサとしての働きにより排気口７が潰れて気流ｗ形成が妨げられることがなく、排気を確実に行って空調被服１の冷却効果を保つことができる。
【００２４】
次に、本実施形態の発明では、図２(ｂ)に示すように、襟２を立てることで、装着者の首に沿って、気流ｗをより上方に逃がすことができる。この際、装着者がヘルメット12を被った場合、ヘルメット12の内部にも気流ｗを到達させることができ、空調被服１の冷却気流ｗを使って、ヘルメット12の冷却効果も持たせることができる。
【００２５】
なお、本発明の空調被服１では、ファスナー11を首の上まで上げることなく、縦帯体８の形状保持機能を使って襟を立てた状態を維持することができるために、装着者の首が標準より太くとも、ファスナー11を襟２の上まで占めることで首が排気口７を圧迫して潰してしまうことはない。
【００２６】
次に、図３及び図４を用いて、本発明の横帯体５とクリップ６のバリエーションを説明する。なお、図１及び図２に示す上記実施形態と同一の部材は、同じ符号を付けて説明を省略する。
【００２７】
図３(ａ)に示す空調被服21は、剥離区間Ｓ２のスペーサとしてのクリップ６を６つ設けている。かかる構造とすることにより、より排気口７が潰れにくい構造とすることができる。
【００２８】
図３(ｂ)に示す空調被服31は、剥離区間Ｓ２を首の側面に至るように広く設けている。かかる構造とすることで、排気を首の全周に亘って行うことでき、首全体を冷却することができる。
【００２９】
図３(ｃ)に示す空調被服41は、反対に縫合区間Ｓ１を長く取り、クリップ６による排気口７を首の真後ろ部分にのみ限定して設けている。また、単体のクリップ６によっても、その両側に排気口７を形成することができる。縫合区間１を大きく確保することで、襟２の形状保持を確実に行うことができる。
【００３０】
図３(ｄ)に示す空調被服51は、横帯体５の配設区間の略全周を剥離区間Ｓ２として、両端のみを縦帯体８とともに襟２又は身頃３に縫合、固定している。かかる構造であっても、横帯体５の形状維持機能と２つのクリップ６，６により装着者の首により横帯体５が圧迫されても、クリップ６，６の両側に排気口７が確保される。
【００３１】
図４(ａ)に示す空調被服61は、クリップ６を用いず、横帯体５の一部に合わせ目５ａを形成した構造を有する。すなわち横帯体５の一部を摘まみ、本部５ｂを縫合して合わせ目５ａを形成し、その先端５ｃを縫合線４の下方の身頃に縫合している。かかる構造よっても、合わせ目５ａがスペーサとしての機能を発揮し、排気口７を確実に保持することができる。
【００３２】
また、図４(ｂ)に示す空調被服71は、さらに横帯体５に合わせ目を形成せず、幅方向の縫合線５ｅにより、横帯体５を縫合線４の下方の身頃に縫合している。横帯体５は、所定の剛性を有しているため、襟２に対して突っ張って排気口７を保持することができる。
【００３３】
以上、本発明の実施例を説明したが、請求項に記載された範囲で、他の構成を選択することができる。例えば、縦帯体８は、横帯体５を跨いで襟２及び身頃３に取り付けＨ型の形状保持構造を構成したが、縦帯体８は襟２の端部２ａに沿って取り付ければよく、横帯体５より下端が出ない、凹字状の形状保持構造としてもよい。
【００３４】
さらに、上記実施形態のクリップ６は横帯体５を引っ掛けて左右に移動可能に固定する構造としたが、襟２と横帯体５とを前後で固定する、ゴム等のブロック状のスペーサでもよい。また、さらに横帯体５は、形状保持機能を有すればよく、装着者の首を痛めることがない限りにおいて、より細いワイヤ形状のものであってもよい。
【符号の説明】
【００３５】
１、21、31、41、51、61，71    空調被服
２  襟
３  身頃
４  （襟と身頃の）縫合線
５  横帯体
６  クリップ（スペーサ）
７  排気口
８  縦帯体
12  ファン
13  ヘルメット
Ｗ  気流
Ｓ１  縫合区間（横帯体の配設区間）
Ｓ２  剥離区間（横帯体の配設区間）
Ｘ    (肩部に形成された)空間
【図１】
2020094302.tif 000003
【図２】
2020094302.tif 000004
【図３】
2020094302.tif 000005
【図４】
2020094302.tif 000006